(57)【要約】【課題】相互に関連する複数の書類を簡単かつ迅速にファイルすることが可能であって、しかも、ファイルされた書類を閲覧し易い状態で留めることが可能な新たなファイリング用具を提供すること。【解決手段】ファイリング用具１は、書類を挟持するための複数のクリップ４１と、該クリップのそれぞれを旋回自在に装備する軸部材２１と、クリップ４１が軸部材２１の長さ方向に移動するのを規制する移動規制部材２７とを有している。クリップ４１は、該クリップによって挟持された書類を捲る際に、追従して軸部材２１の周囲を旋回するようになっている。このような構成のファイリング用具によれば、穴あけタイプのバインダーのように、事前に穴を開ける必要もないので、簡単かつ迅速に必要な書類をとじこむことが可能になる。また、プレスタイプのバインダーのように書類の端を押さえ付けることがないので、このようなバインダーと比較して書類が捲り易くなる。【選択図】図１
0003111116.tif 000002
【実用新案登録請求の範囲】
【請求項１】
書類を挟持するためのクリップと、前記クリップを旋回自在に装備する軸部材とを有することを特徴とするファイリング用具。
【請求項２】
書類を挟持するための複数のクリップと、
前記複数のクリップのそれぞれを旋回自在に装備する軸部材とを有しており、
前記クリップが書類を挟持した状態で該書類を捲ると、前記軸部材によって軸支されたクリップが、書類を挟持したまま旋回するようになっていることを特徴とするファイリング用具。
【請求項３】
前記複数のクリップは、前記軸部材の長さ方向に沿って配設されており、
前記軸部材は、前記クリップが前記軸部材の長さ方向に移動するのを規制するための移動規制部材を有していることを特徴とする請求項２記載のファイリング用具。
【請求項４】
前記複数のクリップのそれぞれは、他のクリップと異なる色彩及び／又は模様を有するように着色及び／又は模様付けされていることを特徴とする請求項２記載のファイリング用具。
【請求項５】
前記軸部材には複数の段部が形成されており、
前記複数のクリップは、各々、前記軸部材の各段に装着されていることを特徴とする請求項２記載のファイリング用具。
【請求項６】
前記クリップは、該クリップを前記軸部材に対して着脱自在に装着することを可能にする把持部材を有していることを特徴とする請求項２記載のファイリング用具。
【請求項７】
前記軸部材は、日本工業規格のＡ４又はＢ５サイズ紙の一辺とほぼ同程度の寸法を有していることを特徴とする請求項２記載のファイリング用具。
【請求項８】
請求項６記載のファイリング用具において用いられるクリップであって、
該ファイリング用具の軸部材に対して着脱自在に構成されていることを特徴とするクリップ。
【考案の詳細な説明】
【技術分野】
【０００１】
本考案は、書類を整理するために用いられるクリップ機能を備えたファイリング用具に関する。
【背景技術】
【０００２】
従来より、複数枚の書類を重ねた状態で留めるための文具として、クリップが用いられている。一般的に用いられているクリップは、鉄等から成る線材を曲げ加工することによって形成されている。このようなタイプのクリップは小型かつ軽量であって、しかも書類を簡単かつ迅速に挟みこめるため、多くの者の間で日常的に用いられている。
【０００３】
しかしながら、ビジネスや研究等の内容によっては１案件に関連する書類の枚数は膨大な数となり（たとえば裁判事件の書類）、単にクリップを用いて書類を整理しただけでは、クリップで留められた複数の書類（以下「書類群」と称する）が入り乱れてしまい情報を十分に活用できないことがある。したがって、大量の書類を整理するためには、必ずしもクリップだけでは十分ではなく、さらに書類群同士の関係を明確にするための新たな整理手段が必要となる。
【０００４】
一方、クリップで留められた複数の書類、すなわち複数の書類群を、内容や種類毎に集めて市販のバインダーにファイリングすることも可能ではある。そのような市販のバインダーには、穴あけタイプのものとプレスタイプのものがあり、両者とも広く一般的に用いられている。
【０００５】
しかしながら、穴あけタイプのバインダーは、事前に穴を開ける必要があるため前準備が煩雑であり、また、書類の種類によっては穴を開けられない場合もあるので実用性に欠ける。また、プレスタイプのバインダーは穴を開ける必要はないものの、書類の端が押さえ付けられるため捲りにくく、閲覧のし易さの点で問題がある。
【考案の開示】
【考案が解決しようとする課題】
【０００６】
そこで、上述した問題点に鑑み、本考案の目的は、相互に関連する複数の書類を簡単かつ迅速にファイルすることが可能であって、しかも、ファイルされた書類を閲覧し易い状態で留めることが可能な新たなファイリング用具を提供することにある。
【課題を解決するための手段】
【０００７】
このような目的は、下記（１）〜（８）記載の本考案によって達成される。
【０００８】
（１）  書類を挟持するためのクリップと、前記クリップを旋回自在に装備する軸部材とを有することを特徴とするファイリング用具。
【０００９】
（２）  書類を挟持するための複数のクリップと、
前記複数のクリップのそれぞれを旋回自在に装備する軸部材とを有しており、
前記クリップが書類を挟持した状態で該書類を捲ると、前記軸部材によって軸支されたクリップが、書類を挟持したまま旋回するようになっていることを特徴とするファイリング用具。
【００１０】
（３）  前記複数のクリップは、前記軸部材の長さ方向に沿って配設されており、
前記軸部材は、前記クリップが前記軸部材の長さ方向に移動するのを規制するための移動規制部材を有していることを特徴とする上記（２）記載のファイリング用具。
【００１１】
（４）  前記複数のクリップのそれぞれは、他のクリップと異なる色彩及び／又は模様を有するように着色及び／又は模様付けされていることを特徴とする上記（２）記載のファイリング用具。
【００１２】
（５）  前記軸部材には複数の段部が形成されており、
前記複数のクリップは、各々、前記軸部材の各段に装着されていることを特徴とする上記（２）記載のファイリング用具。
【００１３】
（６）  前記クリップは、該クリップを前記軸部材に対して着脱自在に装着することを可能にする把持部材を有していることを特徴とする上記（２）記載のファイリング用具。
【００１４】
（７）  前記軸部材は、日本工業規格のＡ４又はＢ５サイズ紙の一辺とほぼ同程度の寸法を有していることを特徴とする上記（２）記載のファイリング用具。
【００１５】
（８）  上記（６）記載のファイリング用具において用いられるクリップであって、
該ファイリング用具の軸部材に対して着脱自在に構成されていることを特徴とするクリップ。
【考案の効果】
【００１６】
上記（１），（２）記載の本考案によれば、書類はクリップによって挟持されるようになっているので、整理すべき書類を簡単かつ迅速に留めることが可能である。しかも、このクリップは、該クリップによって挟持された書類を捲る際に、追従して軸部材の周囲を旋回するようになっている。したがって、クリップによって留められた書類を捲り易くなる。しかも、軸部材に複数のクリップを装着した場合には、相互に関連する複数の書類群をまとめてファイルすることができるので、効率的に書類を整理することができる。
また、本考案のファイリング用具は、主として軸部材とクリップから成り、市販のバインダーのように表裏のハードカバーを備える必要がないので、低コストで製造することができる。加えて、市販のバインダーと比較して小さく形成することができるので、販売時において場所をとることもない。
さらに、穴あけタイプのバインダーのように、事前に穴を開ける必要もないので、簡単かつ迅速に必要な書類をとじこむことが可能になる。加えて、プレスタイプのバインダーのように書類の端を押さえ付けることがないので、このようなバインダーと比較して書類が捲り易くなる。
【００１７】
上記（３）記載の本考案によれば、クリップは移動規制部材によって軸方向の移動が規制されるようになっている。その結果、クリップによって留められた書類がほとんど軸方向に動くことがないので、該クリップが軸部材から抜け落ちることを防止できる。
【００１８】
上記（４）記載の本考案によれば、各クリップ毎に異なる色彩及び／又は模様が付与されているので、内容を確認することなくクリップの外観から書類の種類や内容等を判別することが可能になる。
【００１９】
上記（５）記載の本考案によれば、軸部材には複数の段部が形成されているので、軸部材の径を大きくすることなく軸部材全体の厚みを大きくすることができる。その結果、ファイルすべき書類全体の厚みが大きくなっても、各クリップに対応する書類を問題なく挟持することができる。
【００２０】
上記（６）記載の本考案によれば、クリップは軸部材に対して着脱自在に装着できるようになっている。その結果、該クリップを、本考案に係るファイリング用具の構成部品として使用することができるとともに、従来のクリップと同様にクリップ単体としても活用することができる。
【００２１】
上記（７）記載の本考案によれば、軸部材は、日本工業規格のＡ４又はＢ５サイズ紙の一辺とほぼ同程度の寸法を有しているので、ビジネスや学業で用いられているほとんどの書類を、本考案に係るファイリング用具を用いて整理することが可能になる。
【００２２】
上記（８）記載の本考案によれば、従来の一般的なクリップと同じ機能を有し、しかも、軸部材と組み合わせることでファイリング用具を構成可能なクリップを提供することができる。
【考案を実施するための最良の形態】
【００２３】
以下、添付図面に基づいて、本考案に係るファイリング用具について詳細に説明する。
【００２４】
［第１実施形態］
まず最初に、図１及び図２に基づいて、ファイリング用具の第１実施形態を説明する。
図１は、本考案の第１実施形態に係るファイリング用具１を示す上面図である。
図２は、図１のファイリング用具１が備えるクリップ４１を示す拡大図である。
【００２５】
図１に示すように、ファイリング用具１は、主として、細長円筒状の軸部材２１と、鉄等から成る線材を曲げ加工して形成されたクリップ４１とから構成されている。
【００２６】
軸部材２１は、両端に設けられた把手２５と、クリップ４１が軸部材２１の長さ方向に移動するのを規制するための移動規制部材２７とを備えており、日本工業規格のＡ４又はＢ５サイズ紙の一辺とほぼ同程度の寸法を有するように形成されている。
【００２７】
移動規制部材２７は軸部材２１の長さ方向に沿って等間隔で配置され、クリップ４１の数と同数設けられている。なお、本実施形態では、各移動規制部材２７は略リング状に形成されているが、クリップ４１の移動を規制することができる限りその形状は特に限定されるものではない。
【００２８】
上述した構成の軸部材２１には、書類を挟持するためのクリップ４１が５個取り付けてある。なお、本考案において、軸部材２１が備えるべきクリップの数は特に限定されず、１つでもよく、或いは複数であってもよい。
【００２９】
線材を曲げ加工して成るクリップ４１は軸部材２１の長さ方向に沿って取り付けられており、それぞれ、書類挟持部４５と、該書類挟持部に連なる２つのコイル４７，４７を有している（図２参照）。書類挟持部４５は、１又は２枚以上の書類を挟み留めることができるように形成されている。書類挟持部４５の両端に設けられたコイル４７，４７には軸部材２１が遊挿してあり、その結果、該クリップ４１が旋回自在に軸部材２１によって軸支されるようになっている。そのため、クリップ４１が書類を挟持した状態で該書類を捲ると、軸部材２１によって軸支されたクリップ４１が、書類を挟持したまま旋回するようになっている。
【００３０】
なお、各クリップに対しては、他のクリップと異なる色彩，模様又はこれらの組合せを有するように着色及び／又は模様付けが施されてもよい。これにより、内容を確認することなくクリップの外見から書類の種類や内容等を瞬時に判別することが可能になるといった効果が奏される。
【００３１】
上述した構成のクリップ４１は、コイル４７，４７の間に移動規制部材２７が位置するように、軸部材２１に対して取り付けられている。そのため、軸支されたクリップ４１が軸部材２１に沿ってスライドし始めても、コイル４７の一方が移動規制部材２７に引っ掛かるようになっている。よって、移動規制部材２７を設けることにより、所定位置を越えてクリップ４１が移動するのを防止することができるので、該クリップ４１が軸部材２１から抜け落ちることを防止できる。
【００３２】
そして、上述したファイリング用具１によれば、書類はクリップ４１によって挟持されるようになっているので、整理すべき書類を簡単かつ迅速に留めることが可能である。しかも、このクリップ４１は、該クリップによって挟持された書類を捲る際に、追従して軸部材２１の周囲を旋回するようになっている。したがって、クリップ４１によって留められた書類を捲り易くなる。しかも、軸部材２１に複数のクリップを装着した場合には、相互に関連する複数の書類群をまとめてファイルすることができるので、効率的に書類を整理することができる。
【００３３】
また、本考案のファイリング用具１は、主として軸部材２１とクリップ４１から成り、市販のバインダーのように表裏のハードカバーを備える必要がないので、低コストで製造することができる。加えて、市販のバインダーと比較して小さく形成することができるので、販売時において場所をとることもない。
【００３４】
さらに、穴あけタイプのバインダーのように、事前に穴を開ける必要もないので、簡単かつ迅速に必要な書類をとじこむことが可能になる。加えて、プレスタイプのバインダーのように書類の端を押さえ付けることがないので、このようなバインダーと比較して書類が捲り易くなる。
【００３５】
さらに、軸部材２１は、日本工業規格のＡ４又はＢ５サイズ紙の一辺とほぼ同程度の寸法を有しているので、ビジネスや学業で用いられているほとんどの書類を、本考案に係るファイリング用具を用いて整理することが可能になる。
【００３６】
［第２実施形態］
次に、図３及び図４に基づいて、ファイリング用具の第２実施形態を説明する。
図３は、本考案の第２実施形態に係るファイリング用具２を示す上面図である。
図４は、図３のファイリング用具２の具体的使用態様を示す斜視図である。
なお、上述した第１実施形態と同様の構成についてはその説明を省略し、異なる点のみを説明する。
【００３７】
ファイリング用具２が備える軸部材２２には複数の段部（本実施形態では５段）が等間隔に形成されており、クリップ４１は軸部材２２の各段に装着されている。このように複数の段部を形成することにより、軸部材２２の径を大きくすることなく軸部材全体の厚み（図３における寸法Ａ）を大きくすることができる。その結果、図４に示すようにファイルすべき書類全体の厚みが大きくなっても、各クリップに対応する書類を問題なく挟持することができる。
【００３８】
［第３実施形態］
次に、図５及び図６に基づいて、ファイリング用具の第３実施形態を説明する。
図５は、本考案の第３実施形態に係るファイリング用具が備えるクリップ４３を示す拡大図である。
図６は、図５のクリップ４３が備える把持部材４４を示す斜視図である。
なお、上述した第１実施形態と同様の構成についてはその説明を省略し、異なる点のみを説明する。
【００３９】
第３実施形態に係るファイリング用具が装備するクリップ４３は、該クリップを軸部材２１に対して着脱自在に装着することを可能にする把持部材４４を有している。この把持部材４４は弾性変形可能な樹脂から形成されており、同じ樹脂から成る書類挟持部４６と一体形成されている。把持部材４４は、図６に示すように、スリットを有する略円筒形状に形成されている。
【００４０】
上記構成のクリップ４３を、軸部材２１に対して取り付けるときには、把持部材４４のスリット側を軸部材２１に対して押し付ける。すると、把持部材４４が一時的に拡径方向に弾性変形するとともに、軸部材２１が把持部材４４の内側に入り込んで、該軸部材２１が把持部材４４によって遊挿状態で把持される。その結果、クリップ４３は、軸部材２１によって旋回可能に軸支される。一方、クリップ４１を、軸部材２１から取り外すときには、クリップ４１を引っ張って、把持部材４４を拡径方向に弾性変形させるようにする。
【００４１】
上述したようにクリップを形成することにより、クリップを、本考案に係るファイリング用具の構成部品として使用することができるとともに、従来のクリップと同様にクリップ単体としても活用することが可能になる。
【産業上の利用可能性】
【００４２】
本考案は、相互に関連する複数の書類を簡単かつ迅速にファイルすることが可能であって、しかも、ファイルされた書類を閲覧し易い状態で留めることが可能な新たなファイリング用具を提供するのに好適である。
【図面の簡単な説明】
【００４３】
【図１】本考案の第１実施形態に係るファイリング用具を示す上面図である。
【図２】図１のファイリング用具が備えるクリップを示す拡大図である。
【図３】本考案の第２実施形態に係るファイリング用具を示す上面図である。
【図４】図３のファイリング用具の具体的使用態様を示す斜視図である。
【図５】本考案の第３実施形態に係るファイリング用具が備えるクリップを示す拡大図である。
【図６】図５のクリップが備える把持部材を示す斜視図である。
【符号の説明】
【００４４】
１          ファイリング用具（第１実施形態）
２          ファイリング用具（第２実施形態）
２１        軸部材
２２        軸部材
２５        把手
２７        移動規制部材
４１        クリップ
４３        クリップ
４４        把持部材
４５        書類挟持部
４６        書類挟持部
４７        コイル
【図１】
0003111116.tif 000003
【図２】
0003111116.tif 000004
【図３】
0003111116.tif 000005
【図４】
0003111116.tif 000006
【図５】
0003111116.tif 000007
【図６】
0003111116.tif 000008